【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
ネットワークを介した外部装置からの印刷要求に基づいて画像データを生成するサーバと、前記サーバから受信した前記画像データに基づいて印刷を行う画像形成装置と、を含む画像形成システムであって、
前記サーバは、
前記画像形成装置の機器情報を記憶する記憶手段と、
前記サーバを、前記記憶手段に記憶される前記機器情報の更新ができない省電力状態に移行させる移行手段と、
前記サーバが前記省電力状態のときに前記ネットワークを介して前記外部装置から前記画像形成装置の機器情報の問い合わせを受信した場合に、前記省電力状態のまま、前記記憶手段に記憶されている前記機器情報に基づいて、前記問い合わせに対して応答する代理応答手段と、を有し、
前記画像形成装置は、
前記サーバが前記省電力状態のときに前記画像形成装置の機器情報が変化した場合、前記サーバを前記省電力状態から復帰させる復帰指示を前記サーバに送信し、その後、変化した前記画像形成装置の機器情報を前記サーバに送信する送信手段と、を有し、
前記サーバは、
前記送信手段によって送信された復帰指示に従って、前記サーバを前記省電力状態から復帰させる復帰手段と、
前記送信手段によって送信された前記画像形成装置の機器情報に基づいて、前記記憶手段に記憶されていた前記画像形成装置の機器情報を更新する更新手段と、をさらにを有することを特徴とする画像形成システム。
【請求項２】
前記省電力状態では、前記サーバを制御する制御手段への電力供給が停止されることを特徴とする請求項１に記載の画像形成システム。
【請求項３】
前記省電力状態では、前記サーバを制御する制御手段へのクロックの供給が停止されることを特徴とする請求項１に記載の画像形成システム。
【請求項４】
前記画像形成装置は、外部装置からの印刷要求に基づいて画像データを生成する生成手段をさらに有することを特徴とする請求項１乃至３の何れか１項に記載の画像形成システム。
【請求項５】
前記サーバと前記画像形成装置とは、前記サーバによって生成された前記画像データを送信するためのビデオケーブル及び前記画像データに基づく印刷を実行させるための制御コマンドを送信するための制御ケーブルによって通信可能に接続されていることを特徴とする請求項１乃至４の何れか１項に記載の画像形成システム。
【請求項６】
前記記憶手段は、前記サーバの機器情報をさらに記憶し、
前記代理応答手段は、前記ネットワークを介して前記外部装置から前記サーバの機器情報の問い合わせを受信した場合に、前記記憶手段に記憶されている前記機器情報に基づいて、前記問い合わせに対して応答することを特徴とする請求項１又は２に記載の画像形成システム。
【請求項７】
前記サーバは、
前記サーバを前記省電力状態に移行させるための条件を満たした後であって前記移行手段が前記サーバを前記省電力状態に移行させる前に、前記画像形成装置の機器情報を要求する要求手段をさらに有し、
前記送信手段は、前記要求手段からの要求に応じて、前記画像形成装置の機器情報を前記サーバに送信し、
前記更新手段は、前記送信手段によって送信された前記画像形成装置の機器情報に基づいて、前記記憶手段に記憶されていた前記画像形成装置の機器情報を更新することを特徴とする請求項１乃至６の何れか１項に記載の画像形成システム。
【請求項８】
前記画像形成装置は、
前記サーバに送信した前記画像形成装置の機器情報を示す情報を保持する保持手段をさらに有し、
前記送信手段は、前記保持手段によって保持される情報が示す前記画像形成装置の機器情報と、前記画像形成装置の実際の機器情報とが異なる場合に、前記画像形成装置の実際の機器情報を送信することを特徴とする請求項１乃至７の何れか１項に記載の画像形成システム。
【請求項９】
ネットワークを介した外部装置からの印刷要求に基づいて画像データを生成して画像形成装置に送信するサーバであって、
前記画像形成装置の機器情報を記憶する記憶手段と、
前記サーバを、前記記憶手段に記憶される前記機器情報の更新ができない省電力状態に移行させる移行手段と、
前記サーバが省電力状態のときに前記ネットワークを介して前記外部装置から前記画像形成装置の機器情報の問い合わせを受信した場合に、前記省電力状態のまま、前記記憶手段に記憶されている前記機器情報に基づいて、前記問い合わせに対して応答する代理応答手段と、
前記画像形成装置から送信された復帰指示に従って、前記省電力状態から復帰させる復帰手段と、
前記画像形成装置から受信した機器情報に基づいて、前記記憶手段に記憶されていた前記画像形成装置の機器情報を更新する更新手段と、
を有することを特徴とするサーバ。
【請求項１０】
前記省電力状態では、前記サーバを制御する制御手段への電力供給が停止されることを特徴とする請求項９に記載のサーバ。
【請求項１１】
前記省電力状態では、前記サーバを制御する制御手段へのクロックの供給が停止されることを特徴とする請求項９に記載のサーバ。
【請求項１２】
前記サーバと前記画像形成装置とは、前記サーバによって生成された前記画像データを送信するためのビデオケーブル及び前記画像データに基づく印刷を実行させるための制御コマンドを送信するための制御ケーブルによって通信可能に接続されていることを特徴とする請求項９に記載のサーバ。
【請求項１３】
前記記憶手段は、前記サーバの機器情報をさらに記憶し、
前記代理応答手段は、前記ネットワークを介して前記外部装置から前記サーバの機器情報の問い合わせを受信した場合に、前記記憶手段に記憶されている前記機器情報に基づいて、前記問い合わせに対して応答することを特徴とする請求項９に記載のサーバ。
【請求項１４】
前記サーバを前記省電力状態に移行させるための条件を満たした後であって前記移行手段が前記サーバを前記省電力状態に移行させる前に、前記画像形成装置の機器情報を要求する要求手段をさらに有し、
前記更新手段は、前記要求手段による要求に応答して前記画像形成装置から送信された前記画像形成装置の機器情報に基づいて、前記記憶手段に記憶されていた前記画像形成装置の機器情報を更新することを特徴とする請求項９乃至１３の何れか１項に記載のサーバ。
【請求項１５】
ネットワークを介した外部装置からの印刷要求に基づいて画像データを生成するサーバから受信した画像データに基づいて印刷を行う画像形成装置であって、
前記サーバが省電力状態のときに前記画像形成装置の機器情報が変化した場合、前記サーバを前記省電力状態から復帰させる復帰指示を前記サーバに送信する第１の送信手段と、
変化した前記画像形成装置の機器情報を前記サーバに送信する第２の送信手段と、
を有することを特徴とする画像形成装置。
【請求項１６】
前記サーバに送信した前記画像形成装置の機器情報を示す情報を保持する保持手段をさらに有し、
前記第２の送信手段は、前記保持手段によって保持される情報が示す前記画像形成装置の機器情報と、前記画像形成装置の実際の機器情報とが異なる場合に、前記画像形成装置の実際の機器情報を送信することを特徴とする請求項１５に記載の画像形成装置。
【請求項１７】
前記サーバと前記画像形成装置とは、前記サーバによって生成された前記画像データを送信するためのビデオケーブル及び前記画像データに基づく印刷を実行させるための制御コマンドを送信するための制御ケーブルによって通信可能に接続されていることを特徴とする請求項１５又は１６に記載の画像形成装置。
【請求項１８】
前記第２の送信手段は更に、前記サーバからの要求に応じて、前記画像形成装置の機器情報を前記サーバに送信することを特徴とする請求項１５に記載の画像形成装置。
【請求項１９】
ネットワークを介した外部装置からの印刷要求に基づいて画像データを生成するサーバと、前記サーバから受信した前記画像データに基づいて印刷を行う画像形成装置と、を含む画像形成システムの制御方法であって、
前記サーバは、
前記画像形成装置の機器情報をメモリに記憶する記憶工程と、
前記サーバを、前記メモリに記憶される前記機器情報の更新ができない省電力状態に移行させる移行工程と、
前記サーバが前記省電力状態のときに前記ネットワークを介して前記外部装置から前記画像形成装置の機器情報の問い合わせを受信した場合に、前記省電力状態のまま、前記メモリに記憶されている前記機器情報に基づいて、前記問い合わせに対して応答する代理応答工程と、
前記画像形成装置によって送信された復帰指示に従って、前記サーバを前記省電力状態から復帰させる復帰工程と、
前記画像形成装置からの機器情報に基づいて、前記メモリに記憶されている前記画像形成装置の機器情報を更新する更新工程と、を実行し、
前記画像形成装置は、
前記サーバが前記省電力状態のときに前記画像形成装置の機器情報が変化した場合、前記サーバを前記省電力状態から復帰させる復帰指示を前記サーバに送信し、その後、変化した前記画像形成装置の機器情報を前記サーバに送信する送信工程を実行することを特徴とする画像形成システムの制御方法。
【手続補正２】
【補正対象書類名】明細書
【補正対象項目名】発明の名称
【補正方法】変更
【補正の内容】
【発明の名称】画像形成装置、サーバ、画像形成システム及び画像形成システムの制御方法
【手続補正３】
【補正対象書類名】明細書
【補正対象項目名】０００１
【補正方法】変更
【補正の内容】
【０００１】
本発明は、画像形成装置、サーバ、画像形成システム及び画像形成システムの制御方法に関するものである。
【手続補正４】
【補正対象書類名】明細書
【補正対象項目名】０００９
【補正方法】変更
【補正の内容】
【０００９】
上記目的を達成するために本発明の一態様に係る画像形成システムは以下のような構成を備える。即ち、
ネットワークを介した外部装置からの印刷要求に基づいて画像データを生成するサーバと、前記サーバから受信した前記画像データに基づいて印刷を行う画像形成装置と、を含む画像形成システムであって、
前記サーバは、
前記画像形成装置の機器情報を記憶する記憶手段と、
前記サーバを、前記記憶手段に記憶される前記機器情報の更新ができない省電力状態に移行させる移行手段と、
前記サーバが前記省電力状態のときに前記ネットワークを介して前記外部装置から前記画像形成装置の機器情報の問い合わせを受信した場合に、前記省電力状態のまま、前記記憶手段に記憶されている前記機器情報に基づいて、前記問い合わせに対して応答する代理応答手段と、を有し、
前記画像形成装置は、
前記サーバが前記省電力状態のときに前記画像形成装置の機器情報が変化した場合、前記サーバを前記省電力状態から復帰させる復帰指示を前記サーバに送信し、その後、変化した前記画像形成装置の機器情報を前記サーバに送信する送信手段と、を有し、
前記サーバは、
前記送信手段によって送信された復帰指示に従って、前記サーバを前記省電力状態から復帰させる復帰手段と、
前記送信手段によって送信された前記画像形成装置の機器情報に基づいて、前記記憶手段に記憶されていた前記画像形成装置の機器情報を更新する更新手段と、をさらにを有することを特徴とする。
【手続補正５】
【補正対象書類名】明細書
【補正対象項目名】００４８
【補正方法】変更
【補正の内容】
【００４８】
以上説明したように、プリントサーバ１０２は、図７のフローチャートを参照して説明した処理を実行した後、省電力状態に移行することにより、省電力状態で受信したパケットに対して省電力状態のままで応答できる。またプリントサーバ１０２は、受信したパケットの宛先を見て、プリントサーバ１０２宛てか、ＭＦＰ１０３宛てかを判定し、代理応答メモリ部４１２に格納した機器情報から、適切な機器情報を参照して応答することができる。